(57)【要約】【課題】  より簡単に画質の補正設定の最適化をユーザが行える画像信号処理装置を提供する。【解決手段】  画像センサにより撮影した画像に対して画質処理を施した映像を表示する手段と記録媒体に記録・再生する手段を持つ画像信号処理装置において、画像信号処理装置から送出した画像を表示する外部表示装置に表示される画像情報を取り込む画像情報取り込み手段と、前記外部表示装置の画質処理能力・特性に応じて適切な記録画像の画質の調整設定を導出するための校正画像を取得する手段とを具備することを特徴とする画像信号処理装置。【選択図】      図２
2009159522.tif 000002
【特許請求の範囲】
【請求項１】
画像センサにより撮影した画像に対して画質処理を施した映像を表示する手段と記録媒体に記録・再生する手段を持つ画像信号処理装置において、
画像信号処理装置から送出した画像を表示する外部表示装置に表示される画像情報を取り込む画像情報取り込み手段と、
前記外部表示装置の画質処理能力・特性に応じて適切な記録画像の画質の調整設定を導出するための校正画像を取得する手段とを
有することを特徴とする画像信号処理装置。
【請求項２】
前記外部表示装置に表示される画像として最適と想定できる画像を取得する手段を有することを特徴とする請求項１記載の画像信号処理装置。
【請求項３】
外部表示装置に表示される画像として更に最適でない画像を取得する手段を有することを特徴とする請求項２記載の画像信号処理装置。
【請求項４】
前記最適でない画像を前記最適と想定できる画像に近付けるための最適な画質調整設定候補を取得する手段を有する請求項３記載の画像信号処理装置。
【請求項５】
前記画像情報取り込み手段により取得した外部表示装置に表示される画像と前記最適と想定できる画像を照合する手段と、
この照合の結果からの画質調整設定候補を導出する手段と、
かく導出された画質調整設定に対してユーザが嗜好に応じて、画質設定の調整を行う手段を有する請求項２記載の画像信号処理装置。
【請求項６】
前記外部表示装置に表示される画像として最適と想定できる画像を取得する手段はＭＴシステムにより構成されていることを特徴とする請求項２記載の画像信号処理装置。
【発明の詳細な説明】
【技術分野】
【０００１】
本発明は、ビデオカメラ等の画像信号処理装置に関する。
【背景技術】
【０００２】
ビデオカメラ等の画像信号処理装置において画像を外部表示装置に出力して表示させる用い方がある。
対して特許文献１に記載されている概要として、画像信号処理装置は、外部表示装置と通信を行って画像表示性能に対応する調整用パターンを取得し、取得した調整用パターンに基づいてパラメータの補正を行って、補正前と補正後の2つの調整用パターンを表示させ、補正後のパターンに対応するように画像信号パラメータを補正するとある。
【０００３】
しかしながらこのとき外部表示装置に最適化するための、カメラ撮影時の画質の補正設定の最適化をユーザが全て行うのは苦痛である。設定したとしても、その設定の最適化の確度は高くはないことが多い。
【特許文献１】特開２００７−８１６８５公報(請求項1)
【発明の開示】
【発明が解決しようとする課題】
【０００４】
本発明は、より簡単に画質の補正設定の最適化をユーザが行える画像信号処理装置を提供することを目的とする。
【課題を解決するための手段】
【０００５】
上記課題を解決するために、本発明の画像信号処理装置は、画像センサにより撮影した画像に対して画質処理を施した映像を表示する手段と記録媒体に記録・再生する手段を持つ画像信号処理装置において、画像信号処理装置から送出した画像を表示する外部表示装置に表示される画像情報を取り込む画像情報取り込み手段と、前記外部表示装置の画質処理能力・特性に応じて適切な記録画像の画質の調整設定を導出するための校正画像を取得する手段とを具備することを特徴とする。
【発明の効果】
【０００６】
本発明によれば、より簡単に画質の補正設定の最適化をユーザが行える画像信号処理装置が得られる。
【発明を実施するための最良の形態】
【０００７】
以下、本発明の実施形態を説明する。
【実施例１】
【０００８】
本発明による実施形態１を図１乃至図２を参照して説明する。図１は、この発明の一実施形態のシステムを示す概略ブロック構成図である。
画像信号処理装置である撮像装置１は後述の外部表示装置のパネル画面を撮像できるＣＭＯＳイメージセンサ等のセンサ１１を有する。このセンサ１１の出力は補正・高画質処理部１２へ導かれ補正・高画質処理部１２はセンサ１１の出力を処理して次のズーム機構１３へと結果を出力する。ズーム機構１３はメモリ１４を用いながらディジタル・ズーム３ＤＮＲ処理を行いＣＯＤＥＣ１５へと出力される。ディジタル・ズーム３ＤＮＲ処理の結果は他方で図１の画像データＢとしてパタン照合部１６へと導かれる構成となっている。ＣＯＤＥＣ１５の出力は外部表示装置２へと出力される。
【０００９】
ＣＯＤＥＣ１５の出力を外部表示装置２は、まず画像処理部２１で受ける。次にＬＶＤＳ−Ｔｘ部２２、ＬＶＤＳ−Ｒｘ部２３と処理が続いて、次にパネル制御部２４で表示制御を行いパネル２５へ画像を表示させる。
【００１０】
以上の構成の動作としては、これから撮影する対象物と外部表示装置に応じて、最適な画質補正設定で撮影が行われる様にキャリブレーションを実施する。以下に一連の流れをフローチャートで説明する。
【００１１】
まずキャリブレーションを開始するためにキャリブレーション・パタンを選択する（ステップＳ１）。キャリブレーション・パタンは撮影対象物に応じて特徴的なものが用意されている。
【００１２】
撮像装置によって外部表示装置のパネルを撮影を行うと、撮影したデータ（画像データＢ）とＧｏｏｄリファレンス・パタン（本実施例ではキャリブレーション・パタンそのものである）とパタン照合が行われる（ステップＳ２）。
【００１３】
ステップＳ２で、画像データＢとＧｏｏｄリファレンス・パタンを照合した時に一致（類似している）と判定された場合，その時の画質補正設定を最適であると判断し（ステップＳ２のＹＥＳ）、ユーザはその時の画質補正設定を適用することができる、またはその時の画質補正設定に対して微調整を行うことができる（ステップＳ３、Ｓ４、Ｓ５）。
【００１４】
次にステップＳ２で不一致と判断された場合、画像データＢとＧｏｏｄリファレンス・パタンの照合結果により画質補正設定の導出を行う（ステップＳ６）。
導出された画質補正設定を撮像装置に対して適用し（ステップＳ７）、再度ステップＳ２からの処理を実施する。これはステップＳ２において画像データＢとＧｏｏｄリファレンス・パタンの照合結果が類似していると判定されるまで繰り返される。
【００１５】
この結果導出された画質補正設定をユーザはその時の画質補正設定を適用することができる、またはその時の画質補正設定に対して微調整を行うことができる。
これにより，外部表示装置，ユーザの嗜好に応じてカメラ撮影時の画質補正を可能とする。
なおＧｏｏｄリファレンス・パタンを論理的に定義して照合パタンとして実装することが困難な場合は以下のような方法もある。
画像の評価は人の官能評価に頼ることが多いが、その官能評価を実装する枠組みとしてＭＴ（Mahalanobis-Taguchi）システムがある。ＭＴシステムは、均一な例えば普通のベクトルデータ集団から基準空間を予め作成し、入力データがこの集団に属するか否かを判定する。
【００１６】
ここでは実装例としていわばＧｏｏｄ性（適合性）があるとして選ばれたデータから基準空間を作成する。例えば画像全体に関し、画素値やそれをブロックでまとめたもの等としてｍ×ｎ個の値から成る列ベクトルを数十サンプル以上用いる。基準空間の作成前に各列ベクトル内で値を巡回させる等の手段により、画像階調の変化をより均一にするといった前処理を行ってもよい。その場合は、入力データに対しても同様な処理を行う。なおｋ（今はｍ×ｎ）個の変量ごとに、それらの平均と標準偏差を用いてそれぞれのデータを正規化しておくことは言うまでも無い。
【００１７】
ＭＴシステムのうちで逆行列を利用するポピュラーな方法であるMT法は、Mahalanobis距離MD（二乗距離）を正規化された入力データである列ベクトルYに対し式１のように求める。即ち、基準空間である相関行列Rの逆行列R−１とYを演算しベクトル項目数ｋで割ったスカラー値となる。
【００１８】
【数１】
2009159522.tif 000003
【００１９】
（１）
予め装置の製造時等にＧｏｏｄ性判定部分に相関行列Rと上記演算のプログラムを実装しておけばよい。
ＭＴシステムのうち、MT法の他に余因子行列を利用するMTA法やシュミットの直交展開を利用するTS法等やこれらの多階法を用いてもよい。
Ｇｏｏｄ性の抽出後の判定は、例えばMDが１以下ならＧｏｏｄ性有り、５以上ならＧｏｏｄ性無しと判定する。
画面全体のＡ，Ｂ，Ｃタイプ毎といったＧｏｏｄ性の種類毎に基準空間を分けるのも好適である。なお、画素ブロックサイズも適宜変えてもよい。一入力に対する複数のMDの結果に対して例えば最も高いＧｏｏｄ性の値を以って判定を行う。
【００２０】
上述の方法によれば、通常は正常状態の判定に利用されるＭＴシステムを用いることにより、アルゴリズムが確定し難い処理対象において相応の最適性を確保できる。
【００２１】
なお、以上の実施形態の画像信号処理装置によって実行される画像処理の多くをソフトウェアよって実行することも可能である。したがって、本実施形態の画像処理の手順をコンピュータに実行させるコンピュータプログラムをコンピュータ読み取り可能な記憶媒体を通じて通常のコンピュータに導入するだけで、本実施形態と同様の効果を容易に得ることができる。
【実施例２】
【００２２】
本発明による実施形態２を図３乃至図４を参照して説明する。
図３は、この実施形態のシステムを示す概略ブロック構成図である。撮像装置３はＣＭＯＳイメージセンサ等のセンサ１１を有する。このセンサ１１の出力は補正・高画質処理部１２へ導かれ補正・高画質処理部１２はセンサ１１の出力を処理して次のズーム機構１３へと結果を出力する。ズーム機構１３はメモリ１４を用いながらディジタル・ズーム３ＤＮＲ処理を行いＣＯＤＥＣ１５へと出力される。ディジタル・ズーム３ＤＮＲ処理の結果は他方でパタン照合部１６へと導かれる構成となっている。ＣＯＤＥＣ１５の出力は外部表示装置４へと出力される。
【００２３】
ＣＯＤＥＣ１５の出力を外部表示装置４は、まず画像処理部２１で受ける。次にＬＶＤＳ−Ｔｘ部２２、ＬＶＤＳ−Ｒｘ部２３と処理が続いて、次にパネル制御部２４で表示制御を行い図示せぬパネル２５へ画像を表示させる。実施形態１と異なるのは、パネル２５の画像を経由せずインタフェースＳを経由して、画像データＡを撮像装置３は外部表示装置４から受け取ることである。
【００２４】
以上の構成の動作としては、これから撮影する対象物と外部表示装置に応じて，最適な画質補正設定で撮影が行われる様にキャリブレーションを実施する。
まずキャリブレーションを開始するためにキャリブレーション・パタンを選択する（ステップＳ１１）。キャリブレーション・パタンは撮影対象物に応じて特徴的なものが用意されている。
【００２５】
撮像装置から外部表示装置へ送出された画像データＡを、外部表示装置の画像処理部を介して撮像装置の記憶装置へ格納しておく。この画像をＧｏｏｄリファレンス・パタンと定義し、これは外部表示装置に画像を表示した時の期待画像情報を指す。
【００２６】
画像データＡとＧｏｏｄリファレンス・パタンを照合した（ステップＳ１２）時に一致（類似している）と判定した場合，その時の画質補正設定を最適であると判断し、ユーザはその時の画質補正設定を適用することができる、またはその時の画質補正設定に対して微調整を行うことができる（ステップＳ１３、Ｓ１４、Ｓ１５、Ｓ１６）。
【００２７】
次に，不一致と判断された場合，画像データＡとＮｏ−Ｇｏｏｄリファレンス・パタンの照合が行われる（ステップＳ１７）。Ｎｏ−Ｇｏｏｄリファレンス・パタンとはキャリブレーション・パタン毎にＮｏ−Ｇｏｏｄリファレンス・パタンとして撮像装置の記憶装置に予め格納されているものであり，Ｎｏ−Ｇｏｏｄリファレンス・パタン毎に最適な画質補正設定情報が関連付けがされている。その画質補正設定によりＮｏ−Ｇｏｏｄリファレンス・パタンをＧｏｏｄリファレンス・パタンを近似化させることが可能である。画像データＡと照合したＮｏ−Ｇｏｏｄリファレンス・パタンから導出された画質補正設定が施された画像によりユーザはその画質補正設定を適用するかを決定する（ステップＳ１８）。上記と同様にユーザはここで導出された画質補正設定に対して微調整を行うことができる。
【００２８】
これにより，外部表示装置，ユーザの嗜好に応じてカメラ撮影時の画質補正を可能とする。
以上の実施形態の効果として、外部表示装置に表示する際に最適となるカメラ撮影時の画像補正設定の探索を手動で行うにはカメラに関する熟練した知識が必要だったが、カメラに精通しないユーザであっても，外部表示機器に表示する際に最適な画像補正設定で撮影することができるようになる。
【００２９】
概要として画像信号処理装置において、外部表示装置の画質処理能力・特性に応じて、最適な記録画像の画質を調整設定するための校正画像を取得し、No-GoodレファレンスパタンをGoodリファレンスパタンに近づけるための画質調整設定候補パタンとを照合して、ユーザが嗜好に応じて画質設定の調整を行い、かく簡単な方法で外部表示装置，ユーザの嗜好に応じてカメラ撮影時の画質補正を可能とする。
【００３０】
実施形態の効果として大きくは次の２点がある。
（１） カメラに精通したユーザでなくとも，外部表示装置に対応した，カメラ撮影時の画質補正設定の最適化ができるようになる
（２） 最適な画質補正設定を探索するスピードが上がる
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３１】
【図１】この発明の一実施形態を示す概略ブロック構成図。
【図２】同実施形態のフローチャート図。
【図３】同他の形態を示す概略ブロック構成図。
【図４】同他の形態のフローチャート図。
【符号の説明】
【００３２】
１１…センサ、１２…補正・高画質処理部、１３…ズーム機構、１４…メモリ、１５…ＣＯＤＥＣ、１６…パタン照合部、２１…画像処理部、２２…ＬＶＤＳ−Ｔｘ部、２３…ＬＶＤＳ−Ｒｘ部、２４…パネル制御部、２５…パネル、Ｓ…インタフェース。
【図１】
2009159522.tif 000004
【図２】
2009159522.tif 000005
【図３】
2009159522.tif 000006
【図４】
2009159522.tif 000007